(57)【要約】  本開示は、抵抗値変動を抑制することができる抵抗器を提供することを目的とする。本開示の抵抗器は、絶縁基板（１１）と、絶縁基板（１１）の上面の両端部に設けられた一対の第１電極（１２）と、を備える。さらに、絶縁基板（１１）の上面に設けられ、かつ一対の第１電極（１２）と接続された抵抗体（１３）を備える。そして、一対の第１電極（１２）の各々の上面に設けられ抵抗体（１３）の両端部を覆う一対の第２電極（１４）を備える。抵抗体（１３）の両端部は一対の第１電極（１２）の各々の上面に位置し、一対の第１電極（１２）の各々と一対の第２電極（１４）の各々との接続長さが、一対の第１電極（１２）の各々の全長の４０％以上である。
2020170750.tif 000002
【特許請求の範囲】
【請求項１】
絶縁基板と、
前記絶縁基板の主面の両端部の各々に１個ずつ設けられて一対となる複数の第１電極と、
前記絶縁基板の前記主面の上に設けられ、かつ前記複数の第１電極と接続された抵抗体と、
前記複数の第１電極の各々の主面上に１個ずつ設けられ、かつ前記抵抗体の両端部の各々を覆いかつ一対となる複数の第２電極と、を備え、
前記抵抗体の前記両端部は前記複数の第１電極の各々の前記主面上に位置し、
前記複数の第１電極の各々と前記複数の第２電極の各々とは互いに接触しており、前記複数の第１電極の各々と前記複数の第２電極の各々とが接触する部分の長さが、前記複数の第１電極の各々の全長の２０％以上かつ９９％以下である、抵抗器。
【請求項２】
前記複数の第１電極の各々と前記複数の第２電極の各々とが接触する前記部分の長さが、前記第１電極の各々の全長の４０％以上かつ９９％以下である、請求項１に記載の抵抗器。
【請求項３】
前記複数の第１電極の各々と前記複数の第２電極の各々とが接触する前記部分の長さが、前記第１電極の各々の全長の２０％以上かつ９４％以下である、請求項１に記載の抵抗器。
【請求項４】
前記複数の第１電極の各々と前記複数の第２電極の各々とが接触する前記部分の長さが、前記第１電極の各々の全長の４０％以上かつ９４％以下である、請求項１に記載の抵抗器。
【発明の詳細な説明】
【技術分野】
【０００１】
本開示は、各種電子機器に使用される抵抗器に関する。
【背景技術】
【０００２】
従来のこの種の抵抗器は、絶縁基板と、絶縁基板の上面の両端部に設けられた一対の第１電極と、絶縁基板の上面に設けられ、かつ一対の第１電極間に形成された抵抗膜と、一対の第１電極、抵抗膜の一部を覆う一対の第２電極とを備えていた。【０００３】
なお、この出願の発明に関する先行技術文献情報としては、例えば、特許文献１が知られている。
【先行技術文献】
【特許文献】
【０００４】
【特許文献１】特開２０１１−２２２７５７号公報
【発明の概要】
【０００５】
上記した従来の抵抗器においては、一対の第１電極と一対の第２電極との接続強度が不足することによって、熱応力等による抵抗値変動が発生する可能性があるという問題を有していた。
【０００６】
本開示は上記従来の問題を解決するもので、抵抗値変動を抑制することができる抵抗器を提供することを目的とするものである。
【０００７】
上記問題を解決するために、本開示の抵抗器は、絶縁基板と、複数の第１電極と、抵抗体と、複数の第２電極と、を備える。複数の第１電極は、絶縁基板の主面の両端部の各々に１個ずつ設けられ、かつ対をなしている。抵抗体は、絶縁基板の主面上に設けられ、かつ第１電極と接続されている。複数の第２電極は、複数の第１電極の各々の主面上に１個ずつ設けられ、抵抗体の両端部の各々を覆い、かつ対をなしている。そして、抵抗体の両端部は複数の第１電極の主面上に位置している。複数の第１電極の各々と複数の第２電極の各々とは互いに接触している。複数の第１電極の各々と複数の第２電極の各々とが接触する部分の長さは、複数の第１電極の各々の全長の２０％以上かつ９９％以下である。
【０００８】
この構成により、抵抗体の両端部は複数の第１電極の各々と複数の第２電極の各々とで挟まれる。それとともに、第１電極と第２電極とが接触する部分の長さを大きくすることができる。これにより、抵抗体と第１電極、第２電極との接続性が向上する。
【０００９】
本開示の抵抗器は、一対の第１上面電極と一対の第２上面電極との強度を確保できるため、熱応力等が生じても抵抗値の変動が発生する可能性を低減できる。
【図面の簡単な説明】
【００１０】
【図１】本開示の一実施の形態における抵抗器の断面図
【図２】同抵抗器において、一対の第１上面電極の全長に対する一対の第１上面電極と一対の第２上面電極との接続長さの割合と、熱衝撃結果との関係を示す図
【図３】同抵抗器において、一対の第１上面電極の全長に対する一対の第１上面電極と一対の第２上面電極との接続長さの割合と、完成抵抗値との関係を示す図
【図４】同抵抗器において、一対の第１上面電極の全長に対する一対の第１上面電極と一対の第２上面電極との接続長さの割合と、電流密度との関係を示す図
【発明を実施するための形態】
【００１１】
本開示の第１の態様にかかる抵抗器は、絶縁基板と、複数の第１電極と、抵抗体と、複数の第２電極と、を備える。複数の第１電極は、絶縁基板の主面の両端部の各々に１個ずつ設けられ、かつ対をなしている。抵抗体は、絶縁基板の主面上に設けられ、かつ第１電極と接続されている。複数の第２電極は、複数の第１電極の各々の主面上に１個ずつ設けられ、抵抗体の両端部の各々を覆い、かつ対をなしている。そして、抵抗体の両端部は複数の第１電極の各々の主面上に位置している。複数の第１電極の各々と複数の第２電極の各々とは互いに接触している。複数の第１電極の各々と複数の第２電極の各々とが接触する部分の長さは、複数の第１電極の各々の全長の２０％以上かつ９９％以下である。
【００１２】
この構成により、抵抗体の両端部は複数の第１電極の各々と複数の第２電極の各々とで挟まれる。それとともに、複数の第１電極の各々と複数の第２電極の各々とが接触する部分の長さを大きくすることができる。これにより、抵抗体と第１電極、第２電極との接続性が向上する。
【００１３】
本開示の第２の態様にかかる抵抗器は、第１の態様に係る抵抗器において、第１電極と第２電極とが接触する部分の長さが、第１電極の各々の全長の４０％以上かつ９９％以下である。
【００１４】
本開示の第３の態様にかかる抵抗器は、第１の態様に係る抵抗器において、第１電極と第２電極とが接触する部分の長さが、第１電極の各々の全長の２０％以上かつ９４％以下である。
【００１５】
本開示の第４の態様にかかる抵抗器は、第１の態様に係る抵抗器において、第１電極の各々と第２電極の各々とが接触する部分の長さが、第１電極の各々の全長の４０％以上かつ９４％以下である。
【００１６】
以下、本開示の一実施の形態におけるチップ抵抗器について、図面を参照しながら説明する。
【００１７】
図１は本開示の一実施の形態における抵抗器の断面図である。
【００１８】
本開示の一実施の形態における抵抗器は、図１に示すように、絶縁基板１１と、この絶縁基板１１の上面の両端部の各々に１個ずつ設けられた複数の第１電極１２と、を備えている。この複数の第１電極１２は、対をなしている。そして、絶縁基板１１の上面に設けられ、かつ一対の第１電極１２間に形成された抵抗体１３を備えている。さらに、一対の第１電極１２の上面に設けられ抵抗体１３の一部を覆う複数の第２電極１４を備えている。複数の第２電極１４は、対をなしている。抵抗体１３と一対の第２電極１４を覆う保護膜１５とを備えている。一対の第１電極１２の各々は長さを等しくそろえている。また、一対の第２電極１４の各々もまた長さを等しくそろえている。一対の第１電極１２の各々と一対の第２電極１４の各々とが接続する長さもまた等しくそろえている。
【００１９】
また、少なくとも一対の第１電極１２と電気的に接続されるように絶縁基板１１の両端面に設けられた一対の端面電極１６と、一対の第２電極１４の一部と一対の端面電極１６の表面に形成されためっき層１７とを備えている。
【００２０】
上記構成において、絶縁基板１１は、Ａｌ2Ｏ3を９６％含有するアルミナで構成され、その形状は上面視矩形状となっている。
【００２１】
また、一対の第１電極１２は、絶縁基板１１上面の両端部に設けられ、銀、銀パラジウム、または銅からなる厚膜材料を印刷、焼成することによって形成されている。なお、絶縁基板１１の裏面の両端部に裏面電極１２ａを形成してもよい。一対の第１電極１２の各々の長さ（一対の第１電極１２が並ぶ方向と平行な方向の寸法）は約２５０μｍである。
【００２２】
さらに、抵抗体１３は、絶縁基板１１の上面において、一対の第１電極１２の間に、銅ニッケルを絶縁基板１１のほぼ全面にスパッタリング等の薄膜プロセスを用いて薄膜導体を形成した後、フォトリソプロセスを用いて薄膜導体の不要部分を除去することによって形成されている。
【００２３】
なお、抵抗体１３は、銀パラジウム、酸化ルテニウム、または銅ニッケルからなる厚膜材料を印刷した後、焼成することによって形成してもよい。また、抵抗体１３を覆うように硼珪酸ガラスで構成されたコート層（図示せず）を設けてもよい。
【００２４】
そして、この抵抗体１３の両端部は、一対の第１電極１２の上面に位置して、一対の第１電極１２と接続している。
【００２５】
そしてさらに、抵抗体１３に抵抗値調整用のトリミング溝（以下、図示せず）を設けてもよく、抵抗体１３の形状を蛇行状としてもよい。
【００２６】
一対の第２電極１４は、銀、銀パラジウム、または銅からなる厚膜材料を印刷、焼成することによって形成されている。この一対の第２電極１４は、抵抗体１３に覆われていない一対の第１電極１２と抵抗体１３の両端部の上面に形成され、抵抗体１３と接続している。
【００２７】
また、一対の第１電極１２の上面に、抵抗体１３、一対の第２電極１４がそれぞれ所定の長さで接続されている。
【００２８】
なお、一対の第２電極１４の各々の長さは一対の第１電極１２の各々の長さより短い。また、一対の第２電極１４の各々の幅（一対の第１電極１２が並ぶ方向と直交する方向の寸法）は一対の第１電極１２の各々の幅とほぼ等しい。
【００２９】
保護膜１５は、エポキシ樹脂で構成され、抵抗体１３と、少なくとも抵抗体１３の上面に位置する一対の第２電極１４とを覆うように形成されている。また、一対の第２電極１４の互いに対向する（内側に向かう）端部は保護膜１５に覆われている。
【００３０】
前記一対の端面電極１６は、絶縁基板１１の両端部に設けられ、一対の第１電極１２、一対の第２電極１４と電気的に接続されるように、Ａｇと樹脂からなる材料を印刷することによって形成される。
【００３１】
さらに、この一対の端面電極１６の表面には、Ｎｉめっき層、Ｓｎめっき層からなるめっき層１７が形成されている。このとき、めっき層１７は、一対の第２電極１４の一部と接続され、かつ保護膜１５と接する。
【００３２】
ここで、図２は、一対の第１電極１２の各々の全長に対する、一対の第１電極１２の各々と一対の第２電極１４の各々との接続長さの割合Ｌ１と、熱衝撃結果との関係を示す。Ｌ１は次のように定義される。すなわち、図１に示すように一対の第１電極１２の各々の全長をｗ１２、一対の第１電極１２の各々一対の第２電極１４の各々とが接続する部分の長さをａ１４とすると、Ｌ１＝ａ１４／ｗ１２と定義される。なお、長さ（全長）の方向は、一対の第１電極１２が並ぶ方向と平行な方向である。
【００３３】
このとき、周囲温度を高温（１５５℃）と低温（−５５℃）の温度変化を２０００回繰り返した後の抵抗値ばらつき（抵抗値変化率の最も高い値と最も低い値の差）を測定した。
【００３４】
図３は、一対の第１電極１２の各々の全長に対する、一対の第１電極１２の各々と一対の第２電極１４の各々との接続長さの割合Ｌ１と、完成抵抗値ばらつきとの関係を示している。
【００３５】
このとき、完成品の抵抗器の抵抗値ばらつき（抵抗値変化率の最も高い値と最も低い値の差）を測定した。
【００３６】
図２、図３から明らかなように、一対の第１電極１２の各々の全長に対する、一対の第１電極１２の各々と一対の第２電極１４の各々との接続長さの割合Ｌ１を２０％以上とすると、抵抗値のばらつきが小さい。すなわち、抵抗値の変動が小さい。なお、Ｌ１を４０％以上とすればより一層、抵抗値の変動を小さくすることができる。
【００３７】
さらに、図４は、一対の第１電極１２の各々の全長に対する、一対の第１電極１２の各々と一対の第２電極１４の各々との接続長さの割合Ｌ１と、電流密度の関係を示している。
【００３８】
このとき、電流密度は、一対の第１電極１２の各々における抵抗体１３と接触する部分で測定し、Ｌ１が９０％のときを１００％として表している。
【００３９】
図４から明らかなように、一対の第１電極１２の各々の全長に対する、一対の第１電極１２の各々と一対の第２電極１４の各々との接続長の割合Ｌ１を９９％以下（一対の第１電極１２の各々の全長に対する、一対の第１電極１２と抵抗体１３との接続長の割合を１％以上）とすると、電流密度が低い。すなわち、一対の第１電極１２の各々と抵抗体１３との接続性が良く、抵抗値の上昇や発熱を抑えることができる。
【００４０】
なお、一対の第１電極１２の各々の全長に対する、一対の第１電極１２の各々と一対の第２電極１４の各々との接続長さの割合Ｌ１が９４％より大きくなると電流密度のばらつきが大きくなる傾向にあるため、Ｌ１を９４％以下とするのがより好ましい。
【００４１】
上記したように本開示の一実施の形態においては、一対の第１電極１２の各々と一対の第２電極１４の各々との接続長さが、一対の第１電極１２の各々の全長の４０％以上としている。そのため、一対の第１電極１２の各々と一対の第２電極１４の各々との接続強度を確保できる。これにより、熱応力等が生じても抵抗値変動が発生する可能性を低減できるという効果が得られる。
【００４２】
すなわち、工程内や実装状態における周囲の温度変化によって生じる一対の第１電極１２の各々と一対の第２電極１４の各々との間の剥離を抑制することができるため、抵抗値変動を抑制できる。
【００４３】
また、一対の第１電極１２の各々と一対の第２電極１４の各々との接続長さが、一対の第１電極１２の各々の全長の９９％以下としている。そのため、一対の第１電極１２の各々と抵抗体１３との接続性が良くなり、抵抗値の上昇や発熱を抑えることができる。
【００４４】
したがって、一対の第１電極１２の各々と一対の第２電極１４の各々との接続長さが、一対の第１電極１２の各々の全長の４０％以上であれば、一対の第１電極１２の各々と一対の第２電極１４との接続強度は強くなる。しかし、上記接続長さを長くすればするほど抵抗体１３との接触面積が減少して接続性が悪化してしまうという問題が生じ得る。
【００４５】
これに対し、本開示では、一対の第１電極１２の各々と一対の第２電極１４の各々との接続長が、一対の第１電極１２の各々の全長の９９％以下としているため、抵抗体１３との接続性を保持することができる。
【産業上の利用可能性】
【００４６】
本開示に係る抵抗器は、抵抗値変動を抑制することができるという効果を有する。特に、各種電子機器に使用されるチップ抵抗器等において有用となる。
【符号の説明】
【００４７】
１１  絶縁基板
１２  第１電極
１３  抵抗体
１４  第２電極
【図１】
2020170750.tif 000003
【図２】
2020170750.tif 000004
【図３】
2020170750.tif 000005
【図４】
2020170750.tif 000006
【国際調査報告】
2020170750.tif 000007
2020170750.tif 000008
2020170750.tif 000009
2020170750.tif 000010